(57)【特許請求の範囲】
【請求項１】
内壁の開口部に配設される扉体と、この扉体を軸支し、かつ、前記開口部の内側面に固定される縦枠本体と、前記内壁の下地材前面と前記開口部の内側面との出隅部に対して位置決めされる鉤状片部及びこの鉤状片部に連成され、前記開口部の内側面に沿うようにして固定され、後端が前記縦枠本体の前面側に設けられた位置合わせ部に当接される内側片部を有した位置決め縦枠部材と、を備え、
前記位置決め縦枠部材の内側片部の後端に前記縦枠本体の位置合わせ部を当接させ、当該扉装置を施工した状態で、閉止状態における前記扉体の前面と前記内壁の下地材前面に添設される壁材の前面とが略同一平面状となるように、前記縦枠本体には、前記扉体に連結固定される連結部材の固定位置を位置決めする位置決め部が設けられ、かつ前記内側片部の前後の幅寸法が形成されていることを特徴とする扉装置。
【請求項２】
請求項１において、
前記縦枠本体は、開口部内方側寄りの前面が閉止状態における前記扉体の吊元側端部の後面に近接対面するように、前記扉体を軸支する構造とされていることを特徴とする扉装置。
【請求項３】
請求項１または２において、
前記縦枠本体の位置合わせ部は、前記開口部の内側面側及び前方に開口するように形成された切欠段部の段底面とされていることを特徴とする扉装置。
【請求項４】
請求項１乃至３のいずれか１項において、
前記位置決め縦枠部材の鉤状片部は、前記壁材と略同厚さとされていることを特徴とする扉装置。
【請求項５】
請求項１乃至３のいずれか１項において、
前記位置決め縦枠部材は、前記壁材の前面よりも前方に突出するとともに、この壁材の開口部側端部を覆い隠す突出部を更に連成していることを特徴とする扉装置。
【発明の詳細な説明】
【技術分野】
【０００１】
本発明は、内壁の開口部に配設される扉装置に関する。
【背景技術】
【０００２】
従来の内壁の開口部に配設される扉装置としては、開口部の内側面に縦枠を固着し、この縦枠に丁番等を介して折戸や開き戸などの扉体を開閉自在に軸支させる態様とされたものが一般的である。このような従来の扉装置を施工した状態では、閉止状態における扉体の前面が内壁の壁面や縦枠の前面から後方側に後退した位置となり、開口部の部位が他の部位の壁面よりも凹んだ外観となり、すっきりとした印象を与える外観とすることが望まれていた。
【０００３】
例えば、下記特許文献１では、建て付け開口部に開閉自在に配設される開閉建具の開口縦枠取付構造が提案されている。この開口縦枠取付構造では、開口部の内側面と前面側内壁下地とで形成される角部に沿わせるように取り付けられる断面略Ｌ字状とされた縦枠補助部材と、手前側に開口した受け入れ凹所を有し、開口部の内側面に取り付けられる建具本枠とを備えた構造とされている。また、この開口縦枠取付構造では、壁材の表面と開閉建具の表面とが略面一となるよう、開閉建具の厚さに応じて、建具本枠の受け入れ凹所への縦枠補助部材のＬ字状の一辺の挿入具合を調整し、開口部の内側面に建具本枠を固着させる構造とされている。
【先行技術文献】
【特許文献】
【０００４】
【特許文献１】特開２００９−１２７２６５号公報
【発明の概要】
【発明が解決しようとする課題】
【０００５】
上記特許文献１に記載された開口縦枠取付構造によれば、すっきりとした外観となり見栄えを向上させることはできる。
しかしながら、開閉建具の厚さに応じて、建具本枠の取り付け位置を調整して取り付ける必要があり、建具本枠が上下に長尺であることと相俟って面倒な作業となることが考えられる。つまり、建具本枠を垂直に取り付けなければ、建具本枠と開閉建具との間の隙間寸法が上下で異なってしまい見栄えが悪くなることから、高い施工精度が要求され、見栄えを向上させるには、面倒な作業となることが考えられる。
【０００６】
本発明は、上記実情に鑑みなされたものであり、すっきりとした印象を与え、見栄えを向上し得るとともに、施工性を向上し得る扉装置を提供することを目的としている。
【課題を解決するための手段】
【０００７】
前記目的を達成するために、本発明に係る扉装置は、内壁の開口部に配設される扉体と、この扉体を軸支し、かつ、前記開口部の内側面に固定される縦枠本体と、前記内壁の下地材前面と前記開口部の内側面との出隅部に対して位置決めされる鉤状片部及びこの鉤状片部に連成され、前記開口部の内側面に沿うようにして固定され、後端が前記縦枠本体の前面側に設けられた位置合わせ部に当接される内側片部を有した位置決め縦枠部材と、を備え、前記位置決め縦枠部材の内側片部の後端に前記縦枠本体の位置合わせ部を当接させ、当該扉装置を施工した状態で、閉止状態における前記扉体の前面と前記内壁の下地材前面に添設される壁材の前面とが略同一平面状となるように、前記縦枠本体には、前記扉体に連結固定される連結部材の固定位置を位置決めする位置決め部が設けられ、かつ前記内側片部の前後の幅寸法が形成されていることを特徴とする。
【０００８】
本発明においては、前記縦枠本体を、開口部内方側寄りの前面が閉止状態における前記扉体の吊元側端部の後面に近接対面するように、前記扉体を軸支する構造とされたものとしてもよい。
また、本発明においては、前記縦枠本体の位置合わせ部を、前記開口部の内側面側及び前方に開口するように形成された切欠段部の段底面としてもよい。
また、本発明においては、前記位置決め縦枠部材の鉤状片部を、前記壁材と略同厚さとされたものとしてもよい。
また、本発明においては、前記位置決め縦枠部材を、前記壁材の前面よりも前方に突出するとともに、この壁材の開口部側端部を覆い隠す突出部を更に連成したものとしてもよい。
【発明の効果】
【０００９】
本発明に係る扉装置は、上述のような構成としたことで、すっきりとした印象を与え、見栄えを向上させることができるとともに、施工性を向上させることができる。
【図面の簡単な説明】
【００１０】
【図１】（ａ）、（ｂ）は、いずれも本発明の一実施形態に係る扉装置が施工された状態を模式的に示し、（ａ）は、一部破断概略横断面図、（ｂ）は、（ａ）におけるＸ部に対応させた一部破断概略拡大横断面図である。
【図２】（ａ）〜（ｃ）は、いずれも同扉装置の施工工程の一例を説明するための説明図であり、図１（ｂ）に対応させた図である。
【図３】（ａ）、（ｂ）は、いずれも本発明の他の実施形態に係る扉装置が施工された状態を模式的に示し、それぞれ図１（ｂ）に対応させた図である。
【発明を実施するための形態】
【００１１】
以下に本発明の実施の形態について、図面に基づいて説明する。
図１及び図２は、第１実施形態に係る扉装置について説明するための説明図である。
なお、以下の各実施形態では、図１（ａ）に示すＹ方向から見た状態を基準として、図１（ａ）において下側を前方、図１（ａ）において上側を後方とし、各実施形態に係る扉装置を施工した状態を基準として、その方向等を説明する。
【００１２】
本実施形態に係る扉装置１は、図１（ａ）に示すように、住居等の建物の内壁４に開設された開口部８に配設された例を示しており、この開口部８の後方側の空間が、例えば、収納空間や隣室空間等とされる。
内壁４は、図１（ｂ）に示すように、柱材（間柱）や横桟、胴縁、飼木等の下地材（壁下地）６の前面６ａ及び後面に壁材５，５を添設して構成されている。これら壁材５，５は、例えば、石膏ボードや合板捨張下地等の下地ボードとされ、図例では、これら壁材５，５の表面（前面５ａ）には、壁クロスや壁紙、化粧樹脂シートなどの表面化粧材７が貼着されている。
【００１３】
扉装置１は、開口部８を閉塞または開放する折戸１０と、開口部８の内側面６ｂに沿って配設される縦枠部材２とを備えている。本実施形態では、図１（ａ）に示すように、開口部８の両内側面６ｂ，６ｂのそれぞれに縦枠部材２，２を配設し、これら各縦枠部材２，２のそれぞれに対して開閉自在に連結された二組の折戸１０，１０を配設した例を示している。なお、図例では、開口部８の内側面６ｂは、内壁４の下地材６の開口側側面６ｂとされている。また、開口部８の天面に、これら各縦枠部材２，２の上端部を連結するようにして上レール３ａを備えた上枠（横枠）３を配設した例を示している。
【００１４】
折戸１０は、二枚の戸板１１，１１を、羽根蝶番等の蝶番１２によって折り畳み自在に連結した構成とされている。開口部８の開口側側面６ｂ側に配設された戸板（吊元側戸板）１１は、扉体を構成し、縦枠部材２に連結部材としての吊元側蝶番３０を介して連結されている。一方、開口部８の内方側（開口部８の幅方向中央側）に配設された戸板（戸先側、可動側戸板）１１は、上枠３の上レール３ａにスライド自在に支持されたランナー（走行部材）３ｂに可動側蝶番３５を介して連結されている。
【００１５】
上レール３ａは、図例では、前後方向において、閉止状態における折戸１０の後面よりも少許、後方側に控えた位置に配設されている。可動側戸板１１の内方側（開口部８の内方側）端部の後面には、例えば、スライド蝶番等からなる可動側蝶番３５のカップ部が埋め込まれている。また、このカップ部に対して回動自在に連結された可動側蝶番３５のリンク部材等の蝶番本体部（蝶番ピン部）が、上レール３ａにスライド自在に支持されたランナー３ｂに回動自在に連結されている。このような構成によって、可動側戸板１１は、上レール３ａに対して回動自在かつスライド自在とされて、この上レール３ａにランナー３ｂを介して支持されている。
【００１６】
なお、可動側戸板１１を支持する上レール３ａの配設位置は、図例の態様に限られず、閉止状態における折戸１０の直上に位置するように配設するようにしてもよい。この場合は、可動側戸板１１の内方側端部に蝶番等を介さずにランナーを回動自在に連結固定するようにしてもよい。
また、可動側戸板１１の支持態様としては、図例のような上吊式に限られず、下荷重式としてもよい。この場合は、可動側戸板の上端部に案内片やピボット等を設け、それを受け入れるガイド凹溝を有した上レールを上方に配設し、可動側戸板の下端部に戸車等を設け、それに応じた下レールを床側に設置するようにしてもよい。
【００１７】
縦枠部材２は、図１に示すように、吊元側戸板１１を軸支し、かつ、下地材６の開口側側面６ｂに固定される縦枠本体２０と、この縦枠本体２０の取付位置を位置決めするための位置決め縦枠部材２５とを備えている。これら縦枠本体２０及び位置決め縦枠部材２５は、床面または床下地から開口部８の天面までの高さ（開口高さ）に応じた上下長さ寸法とされており、例えば、無垢の木材、木質繊維材、木質集成材等の木質系材料から形成されている。または、これらの一方若しくは両方を合成樹脂系材料や金属系材料等から形成するようにしてもよい。
【００１８】
縦枠本体２０は、角柱形状の前方かつ外方側（開口部８の幅方向外方側）の角部を切り欠くようにして、下地材６の開口側側面６ｂ及び前方に向けて開口する切欠段部が形成されている。また、縦枠本体２０は、この切欠段部の段底面２２よりも前方に突出する段壁部２１を内方側（開口部８の内方側）の前部に有している。
この縦枠本体２０の内方側側面には、吊元側蝶番３０の蝶番台座３１が固定されている（図２（ｂ）も参照）。
吊元側蝶番３０は、例えば、スライド蝶番等とされており、そのカップ部３３が吊元側戸板１１の吊元側端部の後面１１ｂに埋め込まれ、リンク部材等からなる蝶番本体部３２が、縦枠本体２０に固定された蝶番台座３１に連結固定されている。このような構成によって、吊元側戸板１１は、縦枠本体２０に対して回動自在に支持、すなわち、軸支されている。なお、図示は省略するが、吊元側蝶番３０は、吊元側戸板１１を回動自在に縦枠本体２０によって支持し得るように、上下方向に沿って間隔を空けて複数箇所に設けられている。
【００１９】
また、本実施形態では、縦枠本体２０は、その段壁部２１の前面（開口部８の内方側寄りの前面）２１ａが、閉止状態における吊元側戸板１１の吊元側端部の後面１１ｂに、近接対面するように、吊元側戸板１１を軸支する構造とされている。つまり、正面視において、閉止状態における吊元側戸板１１の吊元側端部が縦枠本体２０の一部に重合するように、吊元側戸板１１が縦枠本体２０の前方に配設され、吊元側蝶番３０を介して吊元側戸板１１を縦枠本体２０によって軸支している。なお、このような位置関係となるように、吊元側蝶番３０の蝶番台座３１及びカップ部３３を、縦枠本体２０及び吊元側戸板１１に対してそれぞれ適切な位置に固定し、吊元側戸板１１の厚さ寸法や開閉時のクリアランス等を考慮して吊元側蝶番３０を構成するようにすればよい。
なお、この縦枠本体２０は、施工された状態で少なくとも表面側に露出する外周が上記同様の表面化粧材乃至は突板で構成されている。
【００２０】
位置決め縦枠部材２５は、内壁４の下地材６の前面６ａと開口側側面６ｂとの出隅部６ｃに対して位置決めされる鉤状片部２６と、この鉤状片部２６に連成された内側片部２７とを備え、これらにより横断面形状が、略Ｌ字状の形状とされている。換言すれば、内側片部２７の前端部の外方側側面から外方側に向けて突出するように設けられた突片部が鉤状片部２６とされている。
鉤状片部２６は、図１（ｂ）に示すように、下地材６の出隅部６ｃに引っ掛けられるようにして、その後面（裏面）が下地材前面６ａに当接される。また、この鉤状片部２６は、本実施形態では、この下地材前面６ａに添設される壁材５の厚さ寸法と略同厚さとされている（図２（ｃ）も参照）。つまり、図２（ｃ）に示すように、鉤状片部２６の外方側端面に、壁材５の開口部側端面が突き合わせられるように配設された状態では、この鉤状片部２６の前面を含み、当該位置決め縦枠部材２５の前面と壁材５の前面５ａとが、略面一状となる。なお、この鉤状片部２６の厚さ寸法は、汎用の石膏ボードなどの下地ボードの厚さ寸法に応じたものとすればよく、例えば、壁材の厚さ寸法に対応させて、１２．５ｍｍまたは１２．０ｍｍ程度、９．０ｍｍ程度等としてもよい。
【００２１】
内側片部２７は、下地材６の開口側側面６ｂに沿うようにして固定され、その後端２７ａが、縦枠本体２０の前面側の位置合わせ部としての段底面２２に当接される。この内側片部２７の左右の幅寸法（見付け幅寸法）は、縦枠本体２０に形成された切欠段部の幅寸法、つまりは、段底面２２の幅寸法と略同寸法とされている。
また、この内側片部２７の前端から後端２７ａまでの前後の幅寸法（見込み幅寸法）Ｄ１は、縦枠本体２０の段底面２２が、後端２７ａに当接された状態で、閉止状態における吊元側戸板１１の前面１１ａと、壁材５の前面５ａとが、略同一平面状となるように形成されている。つまり、縦枠本体２０の段底面２２から段壁部２１の前面２１ａまでの前後の幅寸法に、吊元側戸板１１の開閉に必要となる吊元側戸板１１と段壁部２１の前面２１ａとの前後のクリアランス及び吊元側戸板１１の厚さ寸法を加えた寸法に応じた寸法となるように、内側片部２７の前後の幅寸法Ｄ１が形成されている。
ここに、閉止状態における吊元側戸板１１の前面１１ａと壁材５の前面５ａとが略同一平面状とは、閉止状態における吊元側戸板１１の前面１１ａが、壁材５の前面５ａに対して、前後に５ｍｍ程度の範囲以内に配設される場合を含む。このような程度の範囲以内であれば、外観上は、同一平面状に見え、すっきりとした印象を与えることができる。
【００２２】
次に、上記構成とされた扉装置１の施工手順の一例について、図２に基づいて説明する。
図２（ａ）では、内壁４の下地材６の前面６ａ及び開口側側面６ｂが露出した状態で、前面側の壁材５が下地材６の前面６ａに添設される前の状態を示している。この状態で、まず、位置決め縦枠部材２５を固定する。この際、鉤状片部２６と内側片部２７とによって略Ｌ字状とされた位置決め縦枠部材２５の入隅部を、下地材６の出隅部６ｃに一致させるようにして、鉤状片部２６の後面及び内側片部２７の外方側側面のそれぞれを、下地材６の前面６ａ及び開口側側面６ｂに当接させる。つまり、位置決め縦枠部材２５を下地材６に押し付けるようにして位置決めすれば、当該位置決め縦枠部材２５の位置決めがなされる。このように、位置決め縦枠部材２５の位置決めがなされれば、位置決め縦枠部材２５を下地材６に対して固定する。
なお、この位置決め縦枠部材２５の下地材６への固定は、木ねじや釘等の固定止具を止着させることにより、若しくは接着剤による接着によって、またはこれらを組み合わせることによって固定するようにしてもよい。
【００２３】
次いで、図２（ｂ）に示すように、吊元側蝶番３０の蝶番台座３１が固定された縦枠本体２０を、位置決め縦枠部材２５の後方側に配置し、前方に向けて移動させる。この際、縦枠本体２０を、下地材６の開口側側面６ｂにその外方側側面を添わせながら、その切欠段部に位置決め縦枠部材２５の内側片部２７の後端部を受け入れさせるようにして、前方に向けて移動させるようにしてもよい。また、縦枠本体２０の段底面２２に、位置決め縦枠部材２５の内側片部２７の後端２７ａが当接するまで縦枠本体２０を前方に向けて移動させれば、当該縦枠本体２０の前後方向の位置決めがなされる。このように縦枠本体２０の位置決めがなされれば、縦枠本体２０を下地材６に対して上記同様にして固定する。
なお、縦枠本体２０に、吊元側蝶番３０の蝶番台座３１の固定位置を位置決めする加工穴等の位置決め部を下加工しておき、縦枠本体２０を下地材６に対して固定した後に、蝶番台座３１を縦枠本体２０に対して固定するようにしてもよい。
【００２４】
次いで、図２（ｃ）に示すように、位置決め縦枠部材２５の鉤状片部２６の外方側端面に、開口部側端面を突き合わせるようにして、壁材５を下地材前面６ａに添設する。
また、縦枠本体２０に固定された蝶番台座３１に、吊元側戸板１１にカップ部３３を介して固定された蝶番本体部３２を連結固定して、吊元側戸板１１を縦枠本体２０に軸支させる。また、可動側戸板１１の可動側蝶番３５を上枠３の上レール３ａに支持されたランナー３ｂに連結固定して、折戸１０を吊り込む（図１（ａ）参照）。
そして、必要に応じて、図１（ｂ）に示すように、表面化粧材７を貼着する。図例では、後方側の壁材５の表面から、縦枠本体２０が固定された開口側側面６ｂにおける縦枠本体２０の後端に至る部位まで後方側の表面化粧材７を貼着した例を示している。また、前方側の壁材５の前面５ａ及び鉤状片部２６の前面から、内側片部２７の内方側側面における縦枠本体２０の段壁部２１の前面２１ａに至る部位まで前方側の表面化粧材７を貼着した例を示している。このように、前方側の表面化粧材７を貼着することで、位置決め縦枠部材２５の見付け面（手前面）及び見込み面（内方側側面）が露出せず、手前から開口部８を見た状態では、縦枠部材２が概ね露出せず、すっきりとした印象を与えることができる。
【００２５】
上記施工手順により、図１に示すように、本実施形態に係る扉装置１が開口部８に配設され、このように配設された状態では、その手前側においては、壁材５の前面５ａと、閉止状態における吊元側戸板１１の前面１１ａとが略同一平面状とされる。なお、図例では、閉止状態における吊元側戸板１１の前面１１ａが、前後方向において、壁材５の前面５ａよりも少許、後方側に位置するように配設された例を示している。
なお、上記施工手順は、一例であり、各部材、各部の機能を阻害しない限りにおいて、別手順でなされるようにしてもよい。
【００２６】
次に、本発明に係る他の実施の形態について、図面を参照しながら説明する。
図３（ａ）は、第２実施形態に係る扉装置について説明するための説明図である。
なお、上記第１実施形態との相違点について主に説明し、同様の構成については、同一符号を付し、その説明を省略または簡略に説明する。
【００２７】
本実施形態に係る扉装置１Ａは、折戸１０Ａの戸板１１Ａ及び縦枠部材２Ａの位置決め縦枠部材２５Ａの構成が、上記第１実施形態に係る扉装置１とは主に異なる。
折戸１０Ａの戸板１１Ａは、上記第１実施形態に係る扉装置１が備える戸板１１よりもその厚さ寸法が大きく形成されており、この戸板１１Ａの厚さ寸法に応じて、位置決め縦枠部材２５Ａの内側片部２７Ａの前後の幅寸法Ｄ２が形成されている。換言すれば、この位置決め縦枠部材２５Ａの内側片部２７Ａは、この戸板１１Ａと、上記第１実施形態に係る扉装置１の戸板１１との厚さ寸法差を加味して、その前後の幅寸法Ｄ２が、上記第１実施形態に係る扉装置１の内側片部２７の幅寸法Ｄ１よりも大きく形成されている。
なお、本実施形態に係る扉装置１Ａの施工手順等については、上記第１実施形態と同様であるため、その説明を省略する。
【００２８】
以上のように、上記構成とされた第１実施形態及び第２実施形態に係る扉装置１，１Ａによれば、位置決め縦枠部材２５（２５Ａ）の鉤状片部２６を、下地材６の出隅部６ｃに対して位置決めすることができるので、位置決め縦枠部材２５（２５Ａ）を容易に固定することができる。
また、この位置決め縦枠部材２５（２５Ａ）の内側片部２７（２７Ａ）の後端２７ａに、縦枠本体２０の段底面２２を当接させることで、縦枠本体２０を容易に、かつ適切な位置に固定できる。
さらに、このように固定された縦枠本体２０に軸支される戸板１１（１１Ａ）の前面１１ａと、壁材５の前面５ａとが略同一平面状となるように、位置決め縦枠部材２５（２５Ａ）の内側片部２７（２７Ａ）の前後の幅寸法Ｄ１（Ｄ２）が形成されている。従って、手前側においては、すっきりとした印象となり、見栄えを向上させることができる。
【００２９】
つまり、上記各実施形態に係る扉装置１，１Ａによれば、例えば、縦枠の取り付け位置を、扉体（戸板）の前面と壁材の前面とが略同一平面状となるように、施工現場で取り付け位置の位置合わせ等の作業をするような必要がない。従って、施工誤差等に起因する見栄えの良し悪し等が生じ難く、また、これら位置決め縦枠部材２５（２５Ａ）及び縦枠本体２０を、出隅部６ｃとの位置決めや互いの位置合わせ等によって容易に、かつ適切な位置に固定することができ、施工性を極めて向上させることができる。
【００３０】
さらにまた、例えば、縦枠本体と位置決め縦枠部材とを上記のような形状に一体成形することも考えられるが、このような一体成形した場合と比べて、縦枠本体２０及び位置決め縦枠部材２５（２５Ａ）の形状が簡易なものとなり、生産性を向上させることができる。また、一体成形されたものでは、例えば、上記各実施形態のように、扉体（戸板）の厚さ寸法が異なる場合には、異なる厚さ寸法とされた扉体のそれぞれに合わせた形状のものを用意する必要がある。一方、上記各実施形態に係る扉装置１，１Ａによれば、位置決め縦枠部材２５（２５Ａ）の内側片部２７（２７Ａ）の前後の幅寸法Ｄ１，Ｄ２を、各戸板１１，１１Ａの厚さ寸法に応じてそれぞれ形成することで、縦枠本体２０は、共通のものを使用でき、汎用性の高いものとなる。つまり、位置決め縦枠部材の鉤状片部の厚さ寸法や内側片部の前後の幅寸法が異なるものを、汎用の壁材や扉体の厚さ寸法に応じて、予め準備しておくことで、縦枠本体は共通のものを使用でき、汎用性の高いものとなる。
【００３１】
また、上記各実施形態では、縦枠本体２０を、その段壁部２１の前面２１ａが、閉止状態における戸板１１（１１Ａ）の吊元側端部の後面１１ｂに近接対面するように、戸板１１（１１Ａ）を軸支する構造としている。従って、縦枠本体２０が、戸当たり部のように戸板１１（１１Ａ）と開口部８の内側面６ｂとの間の隙間を遮蔽する隙間遮蔽部として機能し、このような隙間を遮蔽する部材を別途、設ける必要がない。
さらに、上記各実施形態では、位置決め縦枠部材２５（２５Ａ）の鉤状片部２６の厚さ寸法を、壁材５の厚さ寸法と略同厚さの寸法としている。従って、戸板１１（１１Ａ）の前面１１ａ、壁材５の前面５ａ及び開口縦枠を構成する位置決め縦枠部材２５（２５Ａ）の前面が略同一平面状となり、よりすっきりとした印象となり、より見栄えを向上させることができる。
【００３２】
さらにまた、上記各実施形態では、位置決め縦枠部材２５（２５Ａ）の後端２７ａに当接する縦枠本体２０の前面側に設けられた位置合わせ部を、開口部８の内側面６ｂ側及び前方に向けて開口するように形成された切欠段部の段底面２２としている。従って、縦枠本体２０を開口部８の内側面６ｂに固定した状態では、当該縦枠本体２０の切欠段部と開口部８の内側面６ｂとによって、前方に向けて開口した凹溝が形成され、この凹溝内に位置決め縦枠部材２５（２５Ａ）の内側片部２７（２７Ａ）の後端部を納めることができる。これにより、縦枠本体の切欠段部が形成されていない部位の前端部、つまり段壁部２１によって、位置決め縦枠部材２５（２５Ａ）の内側片部２７（２７Ａ）の後端部を押さえ込むようにして固定することができる。この結果、例えば、縦枠本体が横断面略矩形状とされたものと比べて、縦枠本体２０の前面と位置決め縦枠部材２５（２５Ａ）の内側片部２７（２７Ａ）の後端２７ａとの間に隙間等が生じ難く、より見栄えを向上させることができる。
【００３３】
次に、本発明に係る更に他の実施の形態について、図面を参照しながら説明する。
図３（ｂ）は、第３実施形態に係る扉装置について説明するための説明図である。
なお、上記第１実施形態との相違点について主に説明し、同様の構成については、同一符号を付し、その説明を省略または簡略に説明する。
【００３４】
本実施形態に係る扉装置１Ｂは、縦枠部材２Ｂの位置決め縦枠部材２５Ｂの構成が、上記第１実施形態に係る扉装置１とは主に異なる。
本実施形態では、位置決め縦枠部材２５Ｂを、壁材５の前面５ａよりも前方に突出するとともに、この壁材５の開口部側端部５ｂを覆い隠す突出部２８を更に連成した構造としている。つまり、鉤状片部２６と内側片部２７とによって横断面形状が略Ｌ字状とされたその前面に、前方に向けて突出し、かつ、鉤状片部２６の外方側端面よりも外方側に向けて突出する突出部２８を連成している。この突出部２８は、図例では、その内方側角部に、面取り状の段部が形成されており、額縁状の前面形状とされている。
また、本実施形態では、この位置決め縦枠部材２５Ｂは、施工された状態で少なくとも表面側に露出する外周が上記同様の表面化粧材乃至は突板で構成されている。
なお、本実施形態に係る扉装置１Ｂの施工手順等については、上記第１実施形態と同様であるため、その説明を省略する。
【００３５】
上記構成とされた本実施形態に係る扉装置１Ｂによれば、上記第１実施形態及び第２実施形態と概ね同様の効果を奏する。
また、本実施形態では、位置決め縦枠部材２５Ｂに、突出部２８を設けているので、壁材５の開口部側端部５ｂを見栄え良く納めることができる。
また、戸板１１の前面１１ａと壁材５の前面５ａとを略同一平面状としてすっきりとした印象を与えつつも、位置決め縦枠部材２５Ｂの突出部２８によって、重厚感のあるケーシング枠のような印象を与えることができる。
【００３６】
なお、上記した例では、開口部に二組の折戸を配設した例を示しているが、一組の折戸を配設する態様としてもよい。この場合は、可動側戸板側（戸先側）に配設される縦枠部材を、吊元側の縦枠部材の形状に合わせた形状とし、その戸先側の縦枠本体には蝶番を固定しないようにすればよい。
また、上記各実施形態では、吊元側戸板をスライド蝶番を介して縦枠本体によって軸支する態様としているが、このような態様に限られず、その他の蝶番等の連結部材を介して縦枠本体によって吊元側戸板を軸支する態様としてもよい。
さらに、縦枠本体によって軸支される扉体としては、図例のような折戸の吊元側戸板に限られず、開き戸を扉体としてもよい。
【００３７】
さらにまた、上記各実施形態では、縦枠本体に切欠段部を設け、その段底面を位置決め縦枠部材の内側片部の後端に当接させる位置合わせ部とした例を示しているが、このような態様に限られない。例えば、縦枠本体の横断面形状を略矩形状とし、その外方側寄りの前面を位置合わせ部とするようにしてもよい。さらには、外方側寄りの前面が内方側の前面よりも前方に突出するように外方側前部に突片部を設け、その突片部の前端を位置合わせ部とするようにしてもよい。
【００３８】
また、上記第１実施形態及び第２実施形態では、位置決め縦枠部材の鉤状片部の厚さ寸法を、壁材の厚さ寸法と略同厚さとしたものを例示しているが、このような態様に限られない。例えば、鉤状片部の厚さ寸法を、壁材の厚さ寸法よりも大きくまたは小さく形成するようにしてもよい。この場合は、壁材の厚さ寸法との寸法差を加味して位置決め縦枠部材の内側片部の前後の幅寸法を形成するようにすればよい。
さらに、上記各実施形態では、閉止状態における扉体の前面と略同一平面状とされる壁材の前面を、表面化粧材を貼着する前の壁材の前面としたが、表面化粧材が貼着された状態のその前面を、壁材の前面として把握するようにしてもよい。この場合は、表面化粧材の厚さ寸法を加味して位置決め縦枠部材の内側片部の前後の幅寸法を形成するようにすればよい。
さらにまた、上記各実施形態では、扉装置の施工対象として、木造軸組の壁下地（内壁の下地材）を例示しているが、このような態様に限られず、鉄筋コンクリート造や鉄骨造の壁下地を施工対象としてもよい。
【符号の説明】
【００３９】
１，１Ａ，１Ｂ        扉装置
４                    内壁
５                    壁材
５ａ                  壁材の前面
５ｂ                  壁材の開口部側端部
６                    内壁の下地材
６ａ                  下地材前面
６ｂ                  下地材の開口側側面（開口部の内側面）
６ｃ                  出隅部
８                    開口部
１１                  折戸の吊元側戸板（扉体）
１１ａ                戸板の前面（扉体の前面）
１１ｂ                閉止状態における折戸の吊元側端部の後面
２０                  縦枠本体
２１ａ                段壁部の前面（開口部内方側寄りの前面）
２２                  切欠段部の段底面（位置合わせ部）
２５，２５Ａ，２５Ｂ  位置決め縦枠部材
２６                  鉤状片部
２７，２７Ａ          内側片部
２７ａ                内側片部の後端
２８                  突出部
Ｄ１，Ｄ２            内側片部の前後の幅寸法
【図１】
0005412365.tif 000002
【図２】
0005412365.tif 000003
【図３】
0005412365.tif 000004